(57)【要約】【課題】蛍光ランプと代替可能な光源、この光源と蛍光ランプの双方に対応可能なランプソケット、及びこのランプソケットを用いた照明器具を提供する。【解決手段】代替ランプ１は、直管状の発光管１０と、発光管１０の両端部にそれぞれ設けられた口金１１，１１とを具備し、直管形の蛍光ランプと外形寸法が同寸法に設定されている。各口金１１には、それぞれ蛍光ランプのランプピンと同形状の第１のピン１２，１２が蛍光ランプの口金と同じ位置に設けられるとともに、給電用の第２のピン１３が設けられている。【選択図】図１
2011198709.tif 000002
【特許請求の範囲】
【請求項１】
直管状の発光管と、前記発光管の両端部にそれぞれ設けられた口金とを具備し、直管形の蛍光ランプと外形寸法が同寸法に設定された蛍光ランプの代替光源であって、
前記各口金には、それぞれ前記蛍光ランプのランプピンと同形状の第１のピンが前記蛍光ランプの口金と同じ位置に設けられており、少なくとも何れか一方の前記口金に給電用の第２のピンが設けられたことを特徴とする光源。
【請求項２】
前記第２のピンが前記各口金にそれぞれ設けられるとともに、前記両第２のピンを介して点灯電力が供給されることを特徴とする請求項１記載の光源。
【請求項３】
前記第２のピンと、何れか１つの前記第１のピンを介して点灯電力が供給されることを特徴とする請求項１記載の光源。
【請求項４】
前記第２のピンがランプ軸と重なるようにして配置されるとともに、前記第１のピン及び前記第２のピンが前記ランプ軸方向と直交する方向において一直線上に並ぶようにして配置されることを特徴とする請求項１〜３の何れか１項に記載の光源。
【請求項５】
前記第２のピンが前記第１のピンよりも長寸に設定されたことを特徴とする請求項４記載の光源。
【請求項６】
前記第２のピンの少なくとも一部が、前記蛍光ランプが回転自在に装着されるランプソケットの回転体に設けられたピン挿通溝の溝幅よりも大きく、且つ、前記蛍光ランプの代替光源が回転自在に装着されるランプソケットの回転体に設けられたピン挿通溝の溝幅よりも小さく形成されたことを特徴とする請求項４又は５記載の光源。
【請求項７】
前記第２のピンがランプ軸方向と直交する方向に突出するようにして配置されたことを特徴とする請求項１〜３の何れか１項に記載の光源。
【請求項８】
請求項４〜６の何れか１項に記載の光源の口金、又は前記蛍光ランプの口金の何れかが着脱自在に装着される口金受け部を備え、
前記口金受け部は、前記第１のピンが接続される第１の給電用端子と、前記第２のピンが接続される第２の給電用端子と、前記第１のピン及び前記第２のピンが挿通される挿通溝を有し、前記第１の給電用端子及び前記第２の給電用端子が収納されたソケット本体に対してランプ軸方向の回りに回転自在に取り付けられる回転体とを具備し、
前記光源の前記第１のピン及び前記第２のピン、又は前記蛍光ランプのランプピンを前記挿通溝に挿通させた状態で、前記光源又は前記蛍光ランプを前記回転体とともに前記ランプ軸方向の回りに回転させることによって、前記光源又は前記蛍光ランプが装着されることを特徴とするランプソケット。
【請求項９】
前記第２の給電用端子が前記第１の給電用端子に対してランプと反対側に配置されることを特徴とする請求項８記載のランプソケット。
【請求項１０】
請求項１〜７の何れか１項に記載の光源の口金、又は前記蛍光ランプの口金の何れかが着脱自在に装着される口金受け部を備え、
前記口金受け部は、前記第１のピンが接続される第１の給電用端子と、前記第２のピンが接続される第２の給電用端子と、前記光源の前記第１のピン又は前記蛍光ランプのランプピンを挿通させる挿通孔が設けられ、ランプ側に弾性力が加えられた状態で配置されるプランジャとを具備し、
前記光源の口金又は前記蛍光ランプの口金を前記プランジャに当接させた状態で、ランプと反対側に前記光源又は前記蛍光ランプを変位させることによって、前記光源又は前記蛍光ランプが装着されることを特徴とするランプソケット。
【請求項１１】
前記第１の給電用端子及び前記第２の給電用端子が収納されるソケット本体を備え、
前記ソケット本体には、前記光源のランプ軸方向と直交する方向に突出するようにして配置された前記第２のピンを挿通させる挿通溝が設けられ、
前記光源を装着した場合には、前記第２のピンが前記挿通溝を通して前記ソケット本体内に挿通されるとともに、前記第２の給電用端子に接続されることを特徴とする請求項１０記載のランプソケット。
【請求項１２】
請求項８〜１１の何れか１項に記載のランプソケットと、前記ランプソケットに点灯電力を供給する点灯回路とを備えたことを特徴とする照明器具。
【発明の詳細な説明】
【技術分野】
【０００１】
本発明は、光源、ランプソケット及びランプソケットを用いた照明器具に関するものである。
【背景技術】
【０００２】
従来より、蛍光ランプを用いた既存の照明器具に取付可能な代替ランプとして、消費電力の少ないＬＥＤ（発光ダイオード）を光源としたＬＥＤランプが提供されているが、このような代替ランプの取付方法は各メーカーで統一されておらず、さらに代替ランプへの対応方法についてもメーカーごとに様々であった。
【０００３】
また、このような照明器具では、代替ランプに対応させた後であっても蛍光ランプや他のメーカーの代替ランプに交換する場合が想定されるが、この場合不点灯などの不具合が生じる可能性があることから、そのまま装着できないように誤装着を防止する手段が必要であった。そこで、ランプの誤装着を防止するために専用の口金を用いたＬＥＤ照明装置が提案されている（例えば特許文献１参照）。
【先行技術文献】
【特許文献】
【０００４】
【特許文献１】特開２００４−３０３２９号公報（段落［００２５］−段落［００３５］、及び、第１図−第２図）
【発明の概要】
【発明が解決しようとする課題】
【０００５】
上述の特許文献１に示したＬＥＤ照明装置では、専用の口金を用いて蛍光ランプとの互換性をなくすことでランプの誤装着は防止できるものの、例えばＬＥＤランプから蛍光ランプに交換する際にはランプソケットの交換が必要であった。つまり、従来例のランプソケットは、蛍光ランプ及びＬＥＤランプの双方に対応できるものではなかった。
【０００６】
本発明は上記問題点に鑑みて為されたものであり、その目的とするところは、蛍光ランプと代替可能な光源、この光源と蛍光ランプの双方に対応可能なランプソケット、及びこのランプソケットを用いた照明器具を提供することにある。
【課題を解決するための手段】
【０００７】
本発明の光源は、直管状の発光管と、発光管の両端部にそれぞれ設けられた口金とを具備し、直管形の蛍光ランプと外形寸法が同寸法に設定された蛍光ランプの代替光源であって、各口金には、それぞれ蛍光ランプのランプピンと同形状の第１のピンが蛍光ランプの口金と同じ位置に設けられており、少なくとも何れか一方の口金に給電用の第２のピンが設けられたことを特徴とする。ここに、上記の外形寸法とは、ランプの長さ寸法及び口金のランプソケットへの取付部分に係る寸法のことをいう。
【０００８】
この光源において、第２のピンが各口金にそれぞれ設けられるとともに、両第２のピンを介して点灯電力が供給されるのが好ましい。
【０００９】
また、この光源において、第２のピンと、何れか１つの第１のピンを介して点灯電力が供給されるのが好ましい。
【００１０】
さらに、この光源において、第２のピンがランプ軸と重なるようにして配置されるとともに、第１のピン及び第２のピンがランプ軸方向と直交する方向において一直線上に並ぶようにして配置されるのが好ましい。
【００１１】
また、この光源において、第２のピンが第１のピンよりも長寸に設定されるのが好ましい。
【００１２】
さらに、この光源において、第２のピンの少なくとも一部が、蛍光ランプが回転自在に装着されるランプソケットの回転体に設けられたピン挿通溝の溝幅よりも大きく、且つ、蛍光ランプの代替光源が回転自在に装着されるランプソケットの回転体に設けられたピン挿通溝の溝幅よりも小さく形成されるのが好ましい。
【００１３】
また、この光源において、第２のピンがランプ軸方向と直交する方向に突出するようにして配置されるのが好ましい。
【００１４】
本発明のランプソケットは、上記の光源の口金、又は蛍光ランプの口金の何れかが着脱自在に装着される口金受け部を備え、口金受け部は、第１のピンが接続される第１の給電用端子と、第２のピンが接続される第２の給電用端子と、第１のピン及び第２のピンが挿通される挿通溝を有し、第１の給電用端子及び第２の給電用端子が収納されたソケット本体に対してランプ軸方向の回りに回転自在に取り付けられる回転体とを具備し、光源の第１のピン及び第２のピン、又は蛍光ランプのランプピンを挿通溝に挿通させた状態で、光源又は蛍光ランプを回転体とともにランプ軸方向の回りに回転させることによって、光源又は蛍光ランプが装着されることを特徴とする。
【００１５】
このランプソケットにおいて、第２の給電用端子が第１の給電用端子に対してランプと反対側に配置されるのが好ましい。
【００１６】
また、本発明のランプソケットは、上記の光源の口金、又は蛍光ランプの口金の何れかが着脱自在に装着される口金受け部を備え、口金受け部は、第１のピンが接続される第１の給電用端子と、第２のピンが接続される第２の給電用端子と、光源の第１のピン又は蛍光ランプのランプピンを挿通させる挿通孔が設けられ、ランプ側に弾性力が加えられた状態で配置されるプランジャとを具備し、光源の口金又は蛍光ランプの口金をプランジャに当接させた状態で、ランプと反対側に光源又は蛍光ランプを変位させることによって、光源又は蛍光ランプが装着されることを特徴とする。
【００１７】
このランプソケットにおいて、第１の給電用端子及び第２の給電用端子が収納されるソケット本体を備え、ソケット本体には、光源のランプ軸方向と直交する方向に突出するようにして配置された第２のピンを挿通させる挿通溝が設けられ、光源を装着した場合には、第２のピンが挿通溝を通してソケット本体内に挿通されるとともに、第２の給電用端子に接続されるのが好ましい。
【００１８】
本発明の照明器具は、上記のランプソケットと、ランプソケットに点灯電力を供給する点灯回路とを備えたことを特徴とする。
【発明の効果】
【００１９】
蛍光ランプと代替可能な光源、この光源と蛍光ランプの双方に対応可能なランプソケット、及びこのランプソケットを用いた照明器具を提供することができるという効果がある。
【図面の簡単な説明】
【００２０】
【図１】（ａ）〜（ｃ）は本発明に係る代替ランプの給電方法を説明する説明図である。
【図２】（ａ）〜（ｄ）は同上におけるピン配置のバリエーション図である。
【図３】同上におけるピン配置の別のバリエーション図である。
【図４】本発明に係るランプソケットを示し、（ａ）は分解斜視図、（ｂ）は代替ランプを装着した状態の斜視図である。
【図５】同上の外観斜視図である。
【図６】（ａ）〜（ｃ）は同上に代替ランプを装着する手順を説明する説明図である。
【図７】同上の他の例を示し、（ａ）は分解斜視図、（ｂ）は代替ランプを装着した状態の斜視図である。
【図８】同上のさらに他の例を示し、（ａ）は分解斜視図、（ｂ）は代替ランプを装着した状態の斜視図である。
【図９】本発明に係る照明器具にランプを取り付ける前の斜視図である。
【図１０】同上の概略構成図である。
【発明を実施するための形態】
【００２１】
本発明に係る光源、ランプソケット及びランプソケットを用いた照明器具の実施形態を図面に基づいて説明する。なお、以下の説明では特に断りがない限り、図５中の矢印ａ−ｂ方向を前後方向、矢印ｃ−ｄ方向を左右方向、矢印ｅ−ｆ方向を上下方向として説明を行う。
【００２２】
（実施形態１）
本発明に係るランプソケットＡは、従来周知の蛍光ランプ１’（図９参照）と後述の代替ランプ１（図１参照）の双方に対応可能なランプソケットであって、図４（ａ）に示すように、ソケット本体２と、回転子（回転体）３と、一対の給電用端子（第１の給電用端子）４，４と、給電用端子（第２の給電用端子）５とを主な構成要素として備える。
【００２３】
ソケット本体２は、前面側が開口する箱状のボディ２０と、ボディ２０の前面開口を閉塞する形でボディ２０に取り付けられるカバー２１とで構成されており、ボディ２０及びカバー２１はともに合成樹脂成形品からなる。
【００２４】
ボディ２０の上壁部２０ａから各側壁部２０ｂへの連結部分には、カバー２１側に設けた嵌合突起２１ｅ，２１ｅがそれぞれ嵌合する嵌合部２０ｄ，２０ｄが設けられている。また、各側壁部２０ｂにおいて嵌合部２０ｄの下側には、器具本体１００（図９参照）にランプソケットＡを取り付ける際に器具本体１００側に設けたリブ（図示せず）が挿通される挿通溝２０ｅ，２０ｅが、それぞれ前後方向に沿って設けられている。さらに、ボディ２０の底面部には、回転子３に嵌合するとともに当該回転子３を保持する嵌合筒部２０ｃが、前方に突出する形で設けられている。
【００２５】
カバー２１は、ボディ２０の前面開口を閉塞する板状のカバー本体２１ａと、端子台２１ｂとを一体に備えるとともに、カバー本体２１ａの前面側には円筒状の端子保持部２１ｃを一体に備えている。端子台２１ｂには、電線（図示せず）を挿通させるための複数（図５では３個）の電線挿入孔２１ｄが前面側に設けられるとともに、左右両端部にはボディ２０側に突出する嵌合突起２１ｅ，２１ｅが設けられている。また、端子保持部２１ｃには、回転子３の筒部３０が挿通される円形の挿通孔（図示せず）が前面側に設けられるとともに、蛍光ランプ１’のランプピン１２’，１２’又は代替ランプ１の第１のピン１２，１２及び第２のピン１３を挿通させるための挿通溝２１ｆが、上記の挿通孔に連なる形で下側に設けられている。ここに、ソケット本体２は、ボディ２０の各嵌合部２０ｄに、カバー２１の対応する嵌合突起２１ｅをそれぞれ嵌合させることで組み立てられる。
【００２６】
回転子３は、円板状の回転子本体３１と、上記の嵌合筒部２０ｃに嵌合して回転自在に保持される筒部３０とで一体に構成された合成樹脂成形品からなる。回転子本体３１は、図５に示すように上下方向に沿って形成された挿通溝３１ｂを有し、この挿通溝３１ｂの左右両側には端子確認用の覗き孔３１ａ，３１ａが設けられている。また、筒部３０の上側及び下側の側壁には、図４（ａ）に示すように、回転子本体３１の挿通溝３１ｂに連なる形で挿通溝３０ａ，３０ａがそれぞれ設けられている。なお、上述した各挿通溝２１ｆ，３１ｂ，３０ａの溝幅は、代替ランプ１の第１のピン１２，１２及び第２のピン１３が挿通できる寸法に設定されている。ここに、ランプソケットＡを組み立てた状態では、端子保持部２１ｃの挿通溝２１ｆ、回転子本体３１の挿通溝３１ｂ及び筒部３０の挿通溝３０ａが互いに連なる状態に配置され、代替ランプ１（又は蛍光ランプ１’）を装着する際には、下側からこれらの挿通溝２１ｆ，３１ｂ，３０ａに第１のピン１２，１２及び第２のピン１３（又はランプピン１２’，１２’）を挿通させることになる。なお、ランプの装着手順については後述する。
【００２７】
各給電用端子４は、それぞれ弾性を有する導電性材料（例えば銅など）からなり、電線挿入孔２１ｄを通してソケット本体２内に挿通された電線（図示せず）が電気的に接続される受電端子片４ａと、蛍光ランプ１’のランプピン１２’，１２’を介して蛍光ランプ１’に高周波電力を供給する給電端子片４ｂとが一体に折曲形成されている。なお、本実施形態では、受電端子片４ａが所謂速結端子構造を有しているため、電線を電線挿入孔２１ｄに挿入するだけで受電端子片４ａに接続することができる。これらの給電用端子４，４は、それぞれカバー２１（カバー本体２１ａ、端子台２１ｂ及び端子保持部２１ｃ）に設けられた収納凹部（図示せず）内に収納され、各給電端子片４ｂ，４ｂが蛍光ランプ１’のランプピン１２’，１２’にそれぞれ接触することで、高周波電力が蛍光ランプ１’に供給される。
【００２８】
給電用端子５は、給電用端子４と同様に弾性を有する導電性材料（例えば銅など）からなり、電線挿入孔２１ｄを通してソケット本体２内に挿通された電線（図示せず）が電気的に接続される受電端子片５ａと、代替ランプ（例えばＬＥＤを光源とするＬＥＤランプ）１に所望の点灯電力（例えば直流電力など）を供給する給電端子片５ｂとが一体に折曲形成されている。この給電用端子５は、給電用端子４，４と同様にカバー２１に設けられた収納凹部（図示せず）内に収納されるが、組立状態では給電用端子４，４よりも後方（ランプと反対側）に配置されることになる。また、給電端子片５ｂの後端部にはばね体８が取り付けられており、給電端子片５ｂは前方に弾性力が加えられた状態にある。ここに、本実施形態では、給電用端子４，４、給電用端子５及び回転子３により口金受け部が構成されている。
【００２９】
図５は本実施形態のランプソケットＡを組み立てた状態の外観斜視図であり、このとき回転子本体３１は、挿通溝３１ｂが上下方向となるように配置される。またこのとき、端子保持部２１ｃの挿通溝２１ｆ及び筒部３０の挿通溝３０ａも挿通溝３１ｂに連なる状態にある。そして、給電用端子５の給電端子片５ｂが、挿通溝３１ｂを通して外部を臨むように配置されている。
【００３０】
ここで、図１（ａ）は本発明に係る光源、つまり従来周知の蛍光ランプ１’と代替可能な代替ランプ１を示している。この代替ランプ１は、直管状の発光管１０と、発光管１０の長手方向（図１（ａ）中の左右方向）両端部にそれぞれ設けられた口金１１，１１とを具備し、蛍光ランプ１’と外形寸法（ランプの長さ寸法及び口金のランプソケットへの取付部分に係る寸法）が同寸法に設定されている。各口金１１には、それぞれ蛍光ランプ１’のランプピン１２’と同形状の第１のピン１２，１２が蛍光ランプ１’の口金１１と同じ位置に設けられるとともに、給電用の第２のピン１３が設けられている。また、発光管１０の内部には、例えば複数のＬＥＤが実装されたプリント基板（図示せず）が収納されており、各口金１１，１１に設けた第２のピン１３，１３を介して供給される直流電力Ｅによって各ＬＥＤが点灯するようになっている。なお、本実施形態では、図２（ｂ）に示すように、第２のピン１３がランプ軸Ｐ（図４（ａ）参照）と重なるようにして配置されるとともに、第１のピン１２，１２及び第２のピン１３がランプ軸Ｐ方向と直交する方向において一直線上に並ぶようにして配置されている。また、第２のピン１３は、図２（ｃ）に示すように、第１のピン１２よりも長さ寸法が長く設定されている。
【００３１】
次に、代替ランプ１をランプソケットＡに装着する手順について、図６を参照しながら説明する。まず、図６（ａ）に示すように、口金１１に設けた第１のピン１２，１２及び第２のピン１３の配列方向が上下方向となるように代替ランプ１の向きを合わせた後、代替ランプ１を上方（図６（ａ）中の矢印Ｘの方向）に移動させる。このとき、第１のピン１２，１２及び第２のピン１３は、端子保持部２１ｃの挿通溝２１ｆ、筒部３０の下側の挿通溝３０ａ及び回転子本体３１の挿通溝３１ｂを通り、上側の第１のピン１２が端子保持部２１ｃに設けた挿通孔（図示せず）の開口端縁に当接する所定位置まで上方に移動する。上側の第１のピン１２が上記の所定位置に達するまで代替ランプ１を移動させると、図６（ｂ）に示すように、第２のピン１３が給電用端子５の給電端子片５ｂに接触した状態になる。さらに、図６（ｃ）に示すように、回転子３とともに代替ランプ１をランプ軸Ｐ方向の回りにＹ方向に９０度回転させると、第１のピン１２，１２がそれぞれ対応する給電端子片４ｂ，４ｂに接触し、代替ランプ１のランプソケットＡへの取り付けが完了する（図４（ｂ）参照）。このとき、ばね体８のばね反力によって、第２のピン１３と給電用端子５の給電端子片５ｂとが高い接触力で接触する。なお、本実施形態のランプソケットＡには蛍光ランプ１’を取り付けることもできるが、その手順は代替ランプ１と同様であるから、ここでは説明を省略する。
【００３２】
而して、本実施形態によれば、代替ランプ１と蛍光ランプ１’の双方がランプソケットＡに接続可能であることから、代替ランプ１及び蛍光ランプ１’に対応させたランプソケットＡを提供することができ、さらにこのような回転方式のランプソケットＡでは、代替ランプ１又は蛍光ランプ１’を装着させる際に回転子３とともにランプを回転させるだけでいいので、代替ランプ１又は蛍光ランプ１’を容易に装着することができる。また、第２のピン１３が接続される給電用端子５が、第１のピン１２が接続される給電用端子４よりも後方（ランプと反対側）に配置されており、且つ、第２のピン１３が第１のピン１２よりも長さ寸法が長く設定されているので、第１のピン１２を挿通溝（挿通溝２１ｆ，３０ａ，３１ｂ）に沿って移動させる際に、第１のピン１２が給電用端子５の給電端子片５ｂに接触するのを防止することができる。
【００３３】
さらに、代替ランプ１の外形寸法を蛍光ランプ１’と同寸法に設定し、且つ、蛍光ランプ１’のランプピン１２’と同形状の第１のピン１２を蛍光ランプ１’の口金１１と同じ位置に設けているので、蛍光ランプ１’と互換性を有したランプソケットＡを容易に設計することができる。また、代替ランプ１の各口金１１にそれぞれ設けた第２のピン１３，１３を介して点灯電力（直流電力Ｅ）が供給される構造であるため、ランプソケットＡの構造を左右で共通化することができ、また代替ランプ１が対称形状であることから取付方向が限定されず、取付作業性が向上するという利点もある。さらに、上述した代替ランプ１では、蛍光ランプ１’にのみ対応させたランプソケットに装着可能であるが、代替ランプ１に設けた第１のピン１２，１２は上述のプリント基板に電気的に接続されていないため、第１のピン１２，１２を介して供給される高周波電力によってプリント基板が悪影響を受けるのを抑えることができる。
【００３４】
ところで、本実施形態では、代替ランプ１の発光管１０の両端部に設けた口金１１，１１の第２のピン１３，１３を介して点灯電力（直流電力Ｅ）が供給される場合について説明したが、例えば図１（ｂ）に示すように、一方（図１（ｂ）中の左側）の口金１１に設けた第２のピン１３と、他方の口金１１に設けた第１のピン１２とを介して直流電力Ｅが供給されるようになっていてもよい。また、図１（ｃ）に示すように、一方（図１（ｃ）中の左側）の口金１１に設けた第１のピン１２及び第２のピン１３を介して直流電力Ｅが供給されるようになっていてもよく、この場合、他方の口金１１への給電経路が不要になることから代替ランプ１への給電経路が容易になるという利点がある。なお、図１（ｂ）又は図１（ｃ）の場合には、同じ給電用端子４を用いて代替ランプ１又は蛍光ランプ１’に点灯電力を供給することになるため、接続されるランプに応じて給電用端子４に供給する電力を切り替える必要がある。
【００３５】
ここにおいて、図３中のランプソケットＡ’は、蛍光ランプ１’にのみ対応させた回転方式のランプソケットである。このランプソケットＡ’では、蛍光ランプ１’のランプピン１２’を挿通させる挿通溝の溝幅ｗ１がランプピン１２’の外径よりもわずかに大きい寸法に設定されている。したがって、代替ランプ１の第２のピン１３の外径ｄ１を挿通溝の溝幅ｗ１よりも大きく設定することによって、装着時に第２のピン１３が挿通溝に干渉することから、代替ランプ１のランプソケットＡ’への誤装着を防止することができる。但し、第２のピン１３の外径ｄ１は、上述したように本発明に係るランプソケットＡの挿通溝（挿通溝２１ｆ，３１ｂ，３０ａ）の溝幅よりは小さくする必要がある。なお、第２のピン１３の外径は全長に亘って大きくなっている必要はなく、少なくとも一部が大きくなっていればよく、大径部分が上記の挿通溝と干渉することで代替ランプ１のランプソケットＡ’への誤装着を防止できる。また、第１のピン１２及び第２のピン１３のピン配置は、図２（ａ）に示すように第１のピン１２，１２及び第２のピン１３が一直線上に並んでいなくてもよい。
【００３６】
（実施形態２）
本発明に係るランプソケットＡの実施形態２を図７及び図８に基づいて説明する。実施形態１では回転方式のランプソケットＡについて説明したが、本実施形態ではプランジャ方式のランプソケットＡについて説明する。なお、以下の説明において、実施形態１と同様の構成要素には同一の符号を付して説明は省略する。
【００３７】
本実施形態のランプソケットＡは、図７（ａ）に示すように、ソケット本体６と、プランジャ７と、一対の給電用端子（第１の給電用端子）４，４と、給電用端子（第２の給電用端子）５とを主な構成要素として備える。
【００３８】
ソケット本体６は、前面側が開口する箱状のボディ６０と、ボディ６０の前面開口を閉塞する形でボディ６０に取り付けられるカバー６１とで構成されており、ボディ６０及びカバー６１はともに合成樹脂成形品からなる。
【００３９】
ボディ６０の上壁部６０ａには、電線（図示せず）を挿通させるための複数（図７（ａ）では３個）の電線挿入孔６０ｄが設けられるとともに、ボディ６０の内部空間を左右方向に３つの領域に分割する絶縁壁６０ｃ，６０ｃが下方に垂下する形で設けられている。また、ボディ６０の左右方向における両側壁部６０ｂ，６０ｂには、器具本体１００（図９参照）にランプソケットＡを取り付ける際に器具本体１００側に設けたリブ（図示せず）が挿通される挿通溝６０ｅ，６０ｅが、それぞれ前後方向に沿って設けられている。さらに、ボディ６０の底面部には、複数（図７（ａ）では３個）のばね体８の後端部がそれぞれ係止されるばね係止部（図示せず）が設けられている。ここに、上記の絶縁壁６０ｃ，６０ｃは、ソケット本体６内に収納される各給電用端子４，４と給電用端子５との間の絶縁性を確保するために設けられたものである。
【００４０】
カバー６１は、ボディ６０の前面開口と略同形状に形成された板状のカバー本体６１ａと、カバー本体６１ａのボディ６０側に一体に設けられ、後述するプランジャ７の左右方向への移動を規制するとともに回転を規制するリブ６１ｂとを具備する。カバー本体６１ａには、プランジャ７を挿通させるための円形の挿通孔６１ｃが設けられるとともに、カバー６１をボディ６０に固定するための固定ねじ（図示せず）が挿通する一対のねじ挿通孔６１ｄ，６１ｄが設けられている。また、カバー本体６１ａには、ボディ６０の各挿通溝６０ｅに対応する部位に、各挿通溝６０ｅと連なる切欠溝６１ｅがそれぞれ設けられている。
【００４１】
プランジャ７は、ソケット本体６と同様に合成樹脂成形品からなり、上記のカバー本体６１ａに設けた挿通孔６１ｃよりもわずかに小さい外径寸法に形成された円板状のプランジャ本体７１を有し、プランジャ本体７１のボディ６０側には外鍔７２が一体に設けられている。プランジャ本体７１の前面（機能面）には、蛍光ランプ１’（図９参照）のランプピン１２’，１２’又は代替ランプ１（図１参照）の第１のピン１２，１２を挿通させる一対のピン挿通孔７１ａ，７１ａが設けられ、さらに両ピン挿通孔７１ａ，７１ａの間には、代替ランプ１の第２のピン１３を挿通させるピン挿通孔７１ｂが設けられている。このプランジャ７は、カバー本体６１の挿通孔６１ｃの開口端縁に外鍔７２が当接することで、前方への移動が規制されるようになっている。
【００４２】
各給電用端子４は、それぞれ弾性を有する導電性材料（例えば銅など）からなり、電線挿入孔６０ｄを通してボディ６０内に挿通された電線（図示せず）が電気的に接続される受電端子片４ａと、蛍光ランプ１’のランプピン１２’，１２’を介して蛍光ランプ１’に高周波電力を供給する給電端子片４ｂとが一体に折曲形成されている。そして、これらの給電用端子４，４は、それぞれボディ６０内において絶縁壁６０ｃよりも左右両端寄りに配置される。また、このとき各給電端子片４ｂは、それぞればね体８によって前方に弾性力が加えられた状態にある。
【００４３】
給電用端子５は、給電用端子４と同様に弾性を有する導電性材料（例えば銅など）からなり、電線挿入孔６０ｄを通してボディ６０内に挿通された電線が電気的に接続される受電端子片５ａと、代替ランプ１に所望の点灯電力（直流電力）を供給する給電端子片５ｂとが一体に折曲形成されている。この給電用端子５は、ボディ６０内において両絶縁壁６０ｃ，６０ｃ間に配置され、各給電用端子４との間で絶縁性が確保できるようになっている。また、このとき給電端子片５ｂは、ばね体８によって前方に弾性力が加えられた状態にある。なお、電線挿入孔６０ｄを通してソケット本体６内に挿通された電線は、例えば半田を用いて各受電端子片４ａ，５ａにそれぞれ接続される。ここに、本実施形態では、給電用端子４，４、給電用端子５及びプランジャ７により口金受け部が構成されている。
【００４４】
一方、代替ランプ１は、図７（ａ）に示すように直管状の発光管１０と、発光管１０の長手方向両端部にそれぞれ設けられた口金１１，１１（図７（ａ）では片側のみ図示）とを具備している。そして、各口金１１には、第２のピン１３がランプ軸と重なるようにして配置されるとともに、第１のピン１２，１２及び第２のピン１３がランプ軸方向と直交する方向において一直線上に並ぶようにして配置されている。
【００４５】
次に、代替ランプ１をランプソケットＡに装着する手順について説明する。第１のピン１２，１２及び第２のピン１３をそれぞれ対応するピン挿通孔７１ａ，７１ａ，７１ｂに挿入して、口金１１の端面をプランジャ本体７１の前面に当接させる。この状態から、代替ランプ１を後方（ランプソケットＡ側）に押すと、プランジャ７がばね体８のばね反力に抗して後方に移動し、さらに代替ランプ１の反対側の口金（図示せず）を反対側に配置されたランプソケット（図示せず）に装着させると、ランプソケットＡへの代替ランプ１の取り付けが完了する（図７（ｂ）参照）。なおこのとき、第１のピン１２，１２及び第２のピン１３は、対応する給電端子片４ｂ，４ｂ，５ｂがそれぞればね体８によって前方に弾性力が加えられた状態にあることから、対応する給電端子片４ｂ，４ｂ，５ｂに高い接触力で接触する。
【００４６】
続けて、本実施形態のランプソケットＡの他の例を図８に基づいて説明する。図７で説明したランプソケットＡでは、第１のピン１２，１２及び第２のピン１３がランプ軸方向と直交する方向において一直線上に並ぶようにして配置された代替ランプ１が装着されるが、図８に示す例では、第２のピン１３がランプ軸方向と直交する方向に突出するようにして配置された代替ランプ１が装着される点で相違している。なお、以下の説明において、図７と同様の構成については説明を省略する。
【００４７】
本例のランプソケットＡは、図８（ａ）に示すように、ソケット本体９と、プランジャ７と、一対の給電用端子（第１の給電用端子）４，４と、給電用端子（第２の給電用端子）５とを主な構成要素として備える。なお、プランジャ７、給電用端子４については図７（ａ）と同様であるから、ここでは説明を省略する。
【００４８】
ソケット本体９は、前面側が開口する箱状のボディ９０と、ボディ９０の前面開口を閉塞する形でボディ９０に取り付けられるカバー９１とで構成されており、ボディ９０及びカバー９１はともに合成樹脂成形品からなる。
【００４９】
ボディ９０は、上部が他の部位に比べて前方に突出した側面視Ｌ字状の箱体からなり、各側壁部９０ａには、それぞれ器具本体１００側に設けたリブ（図示せず）が挿通される挿通溝９０ｂが前後方向に沿って設けられている。なお、上記の突出部位には後述の給電用端子５が配置され、給電用端子５の給電端子片５ｂが給電用端子４の給電端子片４ｂよりも前側に配置されるようになっている。
【００５０】
カバー９１は、ボディ９０の下側の前面開口を閉塞する板状のカバー本体９１ａと、カバー本体９１ａのボディ９０側に一体に設けられて、プランジャ７の左右方向への移動を規制するとともに回転を規制するリブ９１ｃと、カバー本体９１ａの上部に一体に設けられて、ボディ９０に設けた上記の突出部位の前面開口を閉塞するＬ字状の突片９１ｂとを具備する。カバー本体９１ａには、プランジャ７を挿通させるための円形の挿通孔９１ｄが設けられるとともに、カバー９１をボディ９０に固定するための固定ねじ（図示せず）が挿通する一対のねじ挿通孔９１ｆ，９１ｆが設けられている。また、突片９１ｂの水平片及び垂直片には、両者に跨って形成されたピン挿通溝９１ｇが設けられるとともに、垂直片には、ボディ９０の各挿通溝９０ｂに対応する部位に、各挿通溝９０ｂと連なる切欠溝９１ｅがそれぞれ設けられている。
【００５１】
給電用端子５は、弾性を有する導電性材料（例えば銅など）からなり、電線挿入孔（図示せず）を通してボディ９０内に挿通された電線が電気的に接続される受電端子片５ａと、第２のピン１３が接触することで代替ランプ１に所望の点灯電力を供給する給電端子片５ｂとが一体に折曲形成されている。そして、給電用端子５は、給電端子片５ｂがピン挿通溝９１ｇを臨むようにして上記の突出部位に配置される。
【００５２】
一方、代替ランプ１は、図８（ａ）に示すように直管状の発光管１０と、発光管１０の長手方向両端部にそれぞれ設けられた口金１１，１１（図８（ａ）では片側のみ図示）とを具備している。そして、各口金１１には、第１のピン１２，１２がランプ軸方向に突出するようにして配置されるとともに、第２のピン１３がランプ軸方向と直交する方向に突出するようにして配置されている。つまり、本代替ランプ１では、第１のピン１２，１２と第２のピン１３とが互いに直交する方向に突出するようにして配置されている（図２（ｄ）参照）。
【００５３】
次に、本例のランプソケットＡに代替ランプ１を装着する手順について説明する。第２のピン１３が上方に突出するように代替ランプ１の向きを合わせた後、第１のピン１２，１２をそれぞれ対応するピン挿通孔７１ａ，７１ａに挿入するとともに、第２のピン１３をピン挿通溝９１ｇに挿通させ、口金１１の端面をプランジャ本体７１の前面に当接させる。この状態から、代替ランプ１を後方（ランプソケットＡ側）に押すと、プランジャ７がばね体８のばね反力に抗して後方に移動し、さらに代替ランプ１の反対側の口金（図示せず）を反対側に配置されたランプソケット（図示せず）に装着させると、ランプソケットＡへの代替ランプ１の取り付けが完了する（図８（ｂ）参照）。なおこのとき、第１のピン１２，１２はそれぞれ対応する給電端子片４ｂに接触し、第２のピン１３は給電端子片５ｂに接触する。
【００５４】
而して、本実施形態によれば、プランジャ方式のランプソケットＡを用いることによって、代替ランプ１又は蛍光ランプ１’の移動方向がランプ軸方向のみであることから、上述した回転方式のランプソケットに比べて第２のピン１３の配置の自由度が向上するという利点がある。また、代替ランプ１又は蛍光ランプ１’を装着させる際にはランプ軸方向にランプを移動させるだけでいいので、代替ランプ１又は蛍光ランプ１’を容易に装着することができる。さらに、ランプソケットＡ側には第２のピン１３を挿通させるピン挿通溝９１ｇを設けるだけでいいので、ランプソケットＡへの影響を低く抑えることができる。
【００５５】
また、図８（ａ）に示す代替ランプ１のように、ランプ軸方向と直交する方向に突出するようにして第２のピン１３を配置した場合には、第２のピン１３が第１のピン１２から離れた位置に配置されることになる。その結果、第１のピン１２と第２のピン１３を介して給電する場合でも第１のピン１２と第２のピン１３の絶縁距離を確保できることから、安全性が高められるという利点がある。
【００５６】
なお、第１のピン１２及び第２のピン１３のピン配置は本実施形態のものに限定されるものではなく、ランプソケットＡの形状等に合わせて適宜設計すればよい。
【００５７】
また、上述した実施形態１，２では、両口金１１，１１にそれぞれ第２のピン１３，１３を設けた場合について説明したが、取付性を考慮すると両口金１１，１１にそれぞれ第２のピン１３，１３を設けるのが好ましい。しかしながら、第２のピン１３は一方の口金１１にのみ設けてもよく、この場合、この第２のピン１３と何れかの第１のピン１２を用いて給電するようにすればよい。その際、第２のピン１３と他方の口金１１の第１のピン１２を用いてもいいし、また同じ口金１１の第１のピン１２と第２のピン１３を用いてもよい。なお、同じ口金１１の第１のピン１２と第２のピン１３を用いた場合には、他方の口金１１への給電経路が不要になることから代替ランプ１への給電経路が容易になるという利点がある。さらに、上述した実施形態１，２では、代替ランプ１がＬＥＤを光源とするＬＥＤランプの場合を例に説明したが、代替ランプ１はＬＥＤランプに限定されるものではなく、他のランプであってもよい。この場合、接続されるランプに対応する点灯電力が給電用端子４又は５を介して供給されるようにすればよい。
【００５８】
（実施形態３）
本発明に係る照明器具、つまり実施形態１又は２で説明したランプソケットＡを用いた照明器具Ｂの実施形態を図９及び図１０に基づいて説明する。
【００５９】
本実施形態の照明器具Ｂは、図９に示すように、代替ランプ１又は蛍光ランプ１’の何れかが装着される一対のランプソケットＡ，Ａと、これらのランプソケットＡ，Ａが機能面を対向させた状態で取り付けられる矩形箱状の器具本体１００とを備え、この器具本体１００には点灯装置１０２が収納されている。点灯装置１０２は、図１０に示すように点灯回路１０１と、点灯回路１０１と商用電源ＡＣとの間を接続する端子台ＴＢとで構成されており、点灯回路１０１は、蛍光ランプ１’に供給される高周波電力を生成するインバータ回路や、ＬＥＤを光源とする代替ランプ１に供給される直流電力を生成する直流電源回路などを備えている。そして、点灯回路１０１から出力された高周波電力は給電線Ｌ１，Ｌ２を介して各ランプソケットＡにそれぞれ供給され、また点灯回路１０１から出力される直流電力は給電線Ｌ３を介してランプソケットＡ，Ａ間に供給されるのである。
【００６０】
而して、本実施形態によれば、上述した本発明に係るランプソケットＡを用いることによって、代替ランプ１と蛍光ランプ１’の双方に対応可能な照明器具Ｂを提供することができ、また何れのランプ１，１’も装着できることから使用用途に応じて照明器具Ｂを使い分けることができる。
【００６１】
なお、本発明に係る照明器具Ｂに用いられるランプソケットＡは、図９に示す回転方式のものに限定されるものではなく、図７又図８で説明したプランジャ方式のものであってもよい。また、代替ランプ１についても、用いるランプソケットＡに合わせたものを適宜選択すればよい。
【符号の説明】
【００６２】
１  代替ランプ（光源）
１’  蛍光ランプ
１０  発光管
１１  口金
１２  第１のピン
１２’  ランプピン
１３  第２のピン
【図１】
2011198709.tif 000003
【図２】
2011198709.tif 000004
【図３】
2011198709.tif 000005
【図４】
2011198709.tif 000006
【図５】
2011198709.tif 000007
【図６】
2011198709.tif 000008
【図７】
2011198709.tif 000009
【図８】
2011198709.tif 000010
【図９】
2011198709.tif 000011
【図１０】
2011198709.tif 000012